(57)【要約】【課題】釣針に付けた餌が対象魚が遊泳する水深まで餌取りに食べられることなく到達し、所望の水深でカプセルが何ら衝撃を与えることなく、そのままの状態で開き、開いたカプセルは釣糸に沿って浮上可能とした魚釣り用餌取り防止具とする。【解決手段】左右均等に分割した浮上性を有する一対のカプセル構成体１Ａ、１Ｂを開方向へ付勢する弾力を有する弾性片２で開閉可能に上部連結する。連結部に釣糸挿通孔４を設ける。カプセル構成体１Ａ、１Ｂの周囲に孔５Ａ、５Ｂを設ける。カプセル構成体１Ａ、１Ｂの下部に夫々突起体６Ａ、６Ｂを設ける。突起体６Ａ、６Ｂを水を含むことで溶解又は分解する材料から成る錘兼用カプセル閉状態保持体８の嵌合孔９に嵌合し、両突起体６Ａ、６Ｂを一体に固定する。カプセル構成体１Ａ、１Ｂの上部側の外側に浮力体７Ａ、７Ｂをカプセル構成体１Ａ、１Ｂに均等な浮力を付与するよう配設する。【選択図】図１
2004187626.tif 000002
【特許請求の範囲】
【請求項１】
左右均等に分割された浮上性を有する一対のカプセル構成体が開方向へ付勢する弾力を有する弾性片で開閉可能に上部連結されると共に、この連結部に釣糸挿通孔が設けられ、前記カプセル構成体の周囲に孔が穿設されると共に、左右のカプセル構成体の下部に夫々突起体が設けられ、この両突起体はカプセルの閉状態時に、水を含むことで溶解又は分解する材料から成る錘兼用カプセル閉状態保持体で一体に固定されていることを特徴とする魚釣り用餌取り防止具。
【請求項２】
カプセル構成体の上部側の外側に浮力体が左右のカプセル構成体に均等な浮力を付与するよう配設されていることを特徴とする請求項１記載の魚釣り用餌取り防止具。
【請求項３】
錘兼用カプセル閉状態保持体は中央部に左右の突起体が嵌合する嵌合孔を有する塩の固形体であることを特徴とする請求項１又は２記載の魚釣り用餌取り防止具。
【発明の詳細な説明】
【０００１】
【発明の属する技術分野】
本発明は、魚釣りで釣針に付けた餌を餌取りと呼ばれる目的としない小魚等に途中で食べられてしまうことなく、対象魚が遊泳する水深まで運ぶ魚釣り用餌取り防止具に関するものである。
【０００２】
【従来の技術】
魚釣りで、釣り人は大物を釣り上げることを最大の喜びと感じ、又これを楽しみとしているものである。
しかし、海中に釣針に餌を付けて入れた際、大物が遊泳している海底付近に餌が到達する途中で餌取りと呼ばれる目的としない小魚等に餌を途中で食べられてしまい、海底付近に釣針が到達した時には釣針には餌がついていない場合があることは、釣り人ならば誰もが経験しているところである。これでは大物を釣り上げることは出来ないのが当然である。
そこで、従来餌取りから餌を保護するため、実開平７ー２８３６６号及び登録実用新案第３０１０３８６号並びに特開平７ー２５５３４２号のものが既に提案されている。
【０００３】
【発明が解決しようとする課題】
上記、従来の実開平７ー２８３６６号の餌取り防止カプセルは、カプセルを取り付けるために道糸の外に別に釣糸と鉛を必要とし、カプセルの開放は釣竿のしゃくりによるものであり、又カプセルは道糸の側方へ浮上するため、海中にゴミ等の障害物があるとカプセルが開かなかったり、浮上が阻止されたりする恐れがある。
【０００４】
又、登録実用新案第３０１０３８６号の釣り餌保護カプセルは、カプセルの開閉は餌を収容するためであり、カプセルごと大型魚に食べさせるものである。
又、特開平７ー２５５３４２号の魚釣り用の餌取り防止具は、釣竿をしゃくりことにより釣糸に衝撃を与えカプセルを開くものであるから、魚の種類によっては魚が警戒し逃げてしまうことになると共に、餌が釣針から外れる恐れもある。
【０００５】
上記点より本発明は、釣針に付けた餌が対象魚が遊泳する水深まで餌取りに食べられることなく到達し、所望の水深でカプセルに何ら衝撃を与えることなくそのままの状態で開き、開いたカプセルは釣糸に沿って浮上可能とした魚釣り用餌取り防止具を提供しようとするものである。
【０００６】
【課題を解決するための手段】
上記課題を解決するため請求項１記載の本発明魚釣り用餌取り防止具は、左右均等に分割された浮上性を有する一対のカプセル構成体が開方向へ付勢する弾力を有する弾性片で開閉可能に上部連結されると共に、この連結部に釣糸挿通孔が設けられ、前記カプセル構成体の周囲に孔が穿設されると共に、左右のカプセル構成体の下部に夫々突起体が設けられ、この両突起体はカプセルの閉状態時に、水を含むことで溶解又は分解する材料から成る錘兼用カプセル閉状態保持体で一体に固定されていることを特徴とするものである。
【０００７】
このような構成とすることにより、使用に際して、左右に開いたカプセルの連結部の釣糸挿通孔にハリス又は道糸を通し、その先端部に釣針を結着し、釣針の上部にガン玉を取り付ける。
釣針に餌を付けた後、餌を付けた釣針とガン玉をカプセルに収納して左右のカプセル構成体を閉じ、両カプセル構成体の両突起体を錘兼用カプセル閉状態保持体で一体に固定する。
【０００８】
次に、カプセルを海中に入れると、錘兼用カプセル閉状態保持体によりカプセルは沈むので、所望の水深まで到達させた後、所定の時間が経つと錘兼用カプセル閉状態保持体は水を含んで溶解又は分解するので、両カプセル構成体の両突起体は固定を解除され、これにより左右のカプセル構成体は開方向へ付勢力を有する弾性片の弾力により開き、内部に収納されていた餌を付けた釣針とガン玉がカプセルの外へ出る。
このようにして、所望の水深まで餌を付けた釣針をカプセルに収納したまま沈めることができるので、途中で餌取りに餌を取られることが防止できる。
【０００９】
そして、所定の時間経過後、錘兼用カプセル閉状態保持体が溶解又は分解すると両突起体は固定を解除され、カプセルが開くと、カプセル構成体は錘が付いてない状態となり、カプセル構成体が浮上性を有するためハリス又は道糸に沿って左右平均してバランスよく上方へ浮上し、餌から離れるので魚は餌を発見し易く、又魚に警戒心を抱かせることない。
又、浮上性を有するため、何らかのトラブルでハリスもしくは道糸が切れた場合、カプセルが釣糸から離れてしまうことがあっても海面に浮かぶので、魚をすくい上げるタモ等で回収できる。
【００１０】
又、カプセル構成体の周囲に複数の孔が穿設されているため、水が通過し易く、水の抵抗を少なくできるので、カプセルの沈降や上昇、更にカプセルの開放がスムーズに行われる。
【００１１】
次に、請求項２記載の本発明魚釣り用餌取り防止具は、請求項１の魚釣り用餌取り防止具において、カプセル構成体の上部側の外側に浮力体が左右のカプセル構成体に均等な浮力を付与するよう配設されていることを特徴とするものである。
【００１２】
このような構成とすることにより、カプセル構成体が開いた状態で浮上する際に、上部側が常に上を向いた状態を保持し、傾斜したり横に倒れることがないので安定した状態で浮上することになり、釣糸がからまる恐れがない。
又、カプセルが沈降する場合も、同様に上下の位置関係が安定した状態で沈降するので、カプセルが開いた時、収納されている餌が付いた釣針はそのまま真直ぐに垂れるので、カプセル構成体に引っ掛かることが防止される。
【００１３】
次に、請求項３の魚釣り用餌取り防止具は、請求項１又は２の魚釣り用餌取り防止具において、錘兼用カプセル閉状態保持体は中央部に左右の突起体が嵌合する嵌合孔を有する塩の固形体であることを特徴とするものである。
【００１４】
このような構成とすることにより、海中で溶解又は分解しても有害物質が出ることはなく、水質を汚染することがないので魚に悪影響を与えることがない。
【００１５】
【発明の実施の形態】
以下、本発明の一実施の形態を図面に基づき説明する。
図１は本発明魚釣り用餌取り防止具の開いた状態を示す斜視図、図２は同上の閉じた状態を示す正面図、図３は同上の平面図、図４は同上の断面図、図５は同上の使用状態を示す正面図である。
【００１６】
図中１は合成樹脂製で中空の球形のカプセルであり、中央において左右均等に２分割された左側のカプセル構成体１Ａと右側のカプセル構成体１Ｂから構成されている。
この左右一対のカプセル構成体１Ａ、１Ｂは浮上性を有している。カプセル１の形状は必ずしも球形に限定されるものではない。
【００１７】
又、左右のカプセル構成体１Ａ、１Ｂの間は長方形のゴム等の弾性片２で開閉可能に連結され、この連結部がカプセル１の上部となり、連結部である弾性片２の中心部にハリス３又は道糸が通る釣糸挿通孔４が設けられている。
そして、左右のカプセル構成体１Ａ、１Ｂは通常は開いた状態であり、弾性片２の連結部がカプセル開閉時の支点となる。
弾性片２は左右のカプセル構成体１Ａ、１Ｂを閉じて放すと、左右のカプセル構成体１Ａ、１Ｂが自然に開くよう、開方向に付勢する弾力を有している。
【００１８】
５Ａは左側のカプセル構成体１Ａに複数穿設した孔、５Ｂは右側のカプセル構成体１Ｂに複数穿設した孔であり、両孔５Ａ、５Ｂはカプセル１内に海水が通過し、水の抵抗を少なくしたもので、両孔５Ａ、５Ｂは同一サイズで同数設けられている。
【００１９】
又、左側のカプセル構成体１Ａの下部側に突起体６Ａが下向きに突設されると共に、同じく右側のカプセル構成体１Ｂの下部側に突起体６Ｂが突設され、両突起体６Ａ、６Ｂは棒状で左右のカプセル構成体１Ａ、１Ｂが閉じた時に合致するように構成されている。
両突起体６Ａ、６Ｂの形状は棒状に限定されるものではなく、線状、板状等でもよい。
【００２０】
又、左側のカプセル構成体１Ａの上部側（連結部側）の外側に同形で同一サイズの２個の浮力体７Ａが付設されると共に、この浮力体７Ａと同形で同一サイズの浮力体７Ｂが右側のカプセル構成体１Ｂの上部側の外側に２個付設されている。
この浮力体７Ａ、７Ｂの付設は、連結部の中心である釣糸挿通孔４から等距離で釣糸挿通孔４の前後及び左右対称となる位置に固定され、左右のカプセル構成体１Ａ、１Ｂに均等な浮力を付与するように配設されている。
浮力体６Ａ、６Ｂは任意形状の塊状体で発泡スチロールやウレタン等が使用される。
【００２１】
８は錘兼用カプセル閉状態保持体であり、この錘兼用カプセル閉状態保持体８は左右のカプセル構成体１Ａ、１Ｂが閉じ、両突起体６Ａ、６Ｂが合致した時に両突起体６Ａ、６Ｂを固定し、左右のカプセル構成体１Ａ、１Ｂの閉状態を保持するものであり、水を含むことで溶解又は分解する材料から構成され、特に塩を使用すれば水質汚染の心配もなく好ましい。
【００２２】
この錘兼用カプセル閉状態保持体８は塩を直方体に固化した固形体で、左右のカプセル構成体１Ａ、１Ｂの合致している突起体６Ａ、６Ｂが嵌合する嵌合孔９が固形体の中央部に形成されている。
錘兼用カプセル閉状態保持体８の製造に際しては、食塩約１０ｇを使用し、焼いて固化したもので、この食塩の量で海中に入れて約３０秒後に溶解する。
勿論、左右のカプセル構成体１Ａ、１Ｂを沈める錘の作用を有する重さであれば、使用目的に応じて使用量を変えて溶解時間を変更できることは当然であり、又材料の塩に限定されるものではなく、水溶性材料であれば穀物等の粉体や練り餌等を混ぜて固めたものでも良い。
【００２３】
このような構成を有する魚釣り用餌取り防止具の使用方法について説明する。
先ず、左右に開いた状態のカプセル１の連結部の釣糸挿通孔４にハリス３又は道糸を通し、その先端部に釣針１０を結着し、釣針１０の上部にガン玉１１を取り付ける。ガン玉１１は釣針１０より上部でカプセル１より下部の位置に取り付ける。
【００２４】
次に、釣針１０に餌１２を付け、餌１２を付けた釣針１０とガン玉１１をカプセル１の内部に収納し、左右のカプセル構成体１Ａ、１Ｂを閉じ、左右のカプセル構成体１Ａ、１Ｂの合致した突起体６Ａ、６Ｂを錘兼用カプセル閉状態保持体８の嵌合孔９に嵌合し、作業終了後、カプセル１を海中に入れる。
【００２５】
【発明の効果】
本発明によれば、小魚等の餌取りに釣針に付けた餌を取られることなく、所望の水深まで餌を沈めることができ、大物等の釣果を得ることができる。
そして、カプセルは従来のように釣竿をしゃくって釣糸に衝撃を与えて開くものではなく、自然に開くものであるから魚に警戒心を与えることがないと共に、釣針から餌が外れる恐れもない。
【図面の簡単な説明】
【図１】本発明の一実施の形態を示す斜視図である。
【図２】本発明の一実施の形態を示す正面図である。
【図３】本発明の一実施の形態を示す平面図である。
【図４】本発明の一実施の形態を示す断面図である。
【図５】本発明の使用状態を示す正面図である。
【符号の説明】
１  カプセル
１Ａ  左側のカプセル構成体
１Ｂ  右側のカプセル構成体
２  弾性片
３  ハリス
４  釣糸挿通孔
５Ａ、５Ｂ  孔
６Ａ、６Ｂ  突起体
７Ａ、７Ｂ  浮力体
８  錘兼用カプセル閉状態保持体
９  嵌合孔
１０  釣針
１１  ガン玉
１２  餌
【図１】
2004187626.tif 000003
【図２】
2004187626.tif 000004
【図３】
2004187626.tif 000005
【図４】
2004187626.tif 000006
【図５】
2004187626.tif 000007